(57)【特許請求の範囲】
【請求項１】
モニタ、
アイコンを前記モニタの第１領域に表示する第１表示手段、
映像コンテンツを前記モニタの第２領域に表示する第２表示手段、
移動通信システムを用いて第１映像コンテンツおよびメールを受信する通信手段、
メールを受信したとき前記第１表示手段によって前記第１領域に表示された複数のアイコンの少なくとも１つを消去する消去手段、および
前記消去手段の消去動作に関連して受信メールの内容を前記第１領域に表示する第３表示手段を備え、
前記第１表示手段によって表示される複数のアイコンは前記通信手段の受信感度を示す受信感度アイコンを含み、
前記消去手段は、前記第２表示手段が前記第１映像コンテンツを表示しているとき、前記受信感度アイコンを消去対象から除外する、複合端末。
【請求項２】
前記第３表示手段は前記受信メールの内容をスクロール表示する、請求項１記載の複合端末。
【請求項３】
放送受信システムを用いて第２映像コンテンツを受信する受信手段をさらに備え、
前記第２表示手段によって表示される映像コンテンツは前記第１映像コンテンツおよび前記第２映像コンテンツのいずれか一方である、請求項１または２記載の複合端末。
【請求項４】
前記第３表示手段の表示処理が完了した後にメール受信を示すメールアイコンを前記第１領域に表示する第４表手段をさらに備える、請求項１ないし３のいずれかに記載の複合端末。
【請求項５】
前記第２領域のサイズを拡大する拡大手段、および  前記拡大手段の拡大処理に関連して前記消去手段を不能化する不能化手段をさらに備え、前記第４表示手段は前記メールの受信に応答して表示処理を実行する、請求項４記載の複合端末。
【請求項６】
モニタおよび移動通信システムを用いて第１映像コンテンツおよびメールを受信する通信手段を備える複合端末のプロセサを、
アイコンを前記モニタの第１領域に表示する第１表示手段、
映像コンテンツを前記モニタの第２領域に表示する第２表示手段、
メールを受信したとき前記第１表示手段によって前記第１領域に表示された複数のアイコンの少なくとも１つを消去する消去手段、および
前記消去手段の消去動作に関連して受信メールの内容を前記第１領域に表示する第３表示手段として機能させ、
前記第１表示手段によって表示される複数のアイコンは前記通信手段の受信感度を示す受信感度アイコンを含み、
前記消去手段は、前記第２表示手段が前記第１映像コンテンツを表示しているとき、前記受信感度アイコンを消去対象から除外する、複合端末における表示制御プログラム。
【発明の詳細な説明】
【技術分野】
【０００１】
この発明は、複合端末に関し、特にたとえば、テレビ電話機能およびテレビ視聴機能を有する、複合端末および表示制御プログラムに関する。
【背景技術】
【０００２】
従来のこの種の装置の一例が、特許文献１に開示されている。この従来技術は、テレビ視聴機能を備える。表示装置６には、表示領域６１，表示領域６２が形成され、表示領域６１には、電池の残容量を表すアイコン６１１，携帯電話の受信レベルを表すアイコン６１２およびテレビの電波受信レベルを表すアイコン６１３が表示される。テレビ視聴機能を使用する場合、複数のアイコンは、表示領域６１に表示される。
【特許文献１】特開２００５−１５１１１７号公報[H04M 1/73,1/00]
【発明の開示】
【発明が解決しようとする課題】
【０００３】
しかし、従来技術は、テレビ視聴機能を使用中にメールを受信したとき、受信メールの内容を確認するには、一旦テレビ視聴機能を停止させなければならない。つまり、映像コンテンツの視聴が妨げられる。
【０００４】
また、携帯電話のような複合端末では、２画面でテレビとメールを同時に表示するものが検討されている。しかしながら、これでは、テレビの表示が小さくなったり、テレビに関する情報や、テレビに関連するＷｅｂ情報を見ることができなくなるという制約が発生することになる。
【０００５】
さらに、全画面表示でテレビ画面表示を行なったとしても、アイコンはテレビ画像に影響が少ない場所（たとえば、左上や右上の隅）に表示される。
【０００６】
それゆえに、この発明の主たる目的は、新規な複合端末を提供することである。
【０００７】
この発明の他の目的は、映像コンテンツの視聴を妨げることなくメールの内容を迅速に把握することができる、複合端末を提供することである。
【課題を解決するための手段】
【０００８】
この発明は、上記の課題を解決するために、以下の構成を採用した。なお、括弧内の参照符号および補足説明等は、この発明の理解を助けるために後述する実施形態との対応関係を示したものであって、この発明を何ら限定するものではない。
【０００９】
第１の発明は、モニタ、アイコンをモニタの第１領域に表示する第１表示手段、映像コンテンツをモニタの第２領域に表示する第２表示手段、移動通信システムを用いて第１映像コンテンツおよびメールを受信する通信手段、メールを受信したとき第１表示手段によって第１領域に表示された複数のアイコンの少なくとも１つを消去する消去手段、および消去手段の消去動作に関連して受信メールの内容を第１領域に表示する第３表示手段を備え、第１表示手段によって表示される複数のアイコンは通信手段の受信感度を示す受信感度アイコンを含み、消去手段は、第２表示手段が第１映像コンテンツを表示しているとき、受信感度アイコンを消去対象から除外する、複合端末である。
【００１０】
第１の発明では、複合端末（１０：実施例で相当する部分を例示する参照符号。以下、同じ。）は、モニタ（６２）を有し、第１表示手段（３２，６０，Ｓ１０１）は、そのモニタの画面の第１領域（６２ｖ１，６２ｈ１）に、たとえば受信感度アイコン（Ｉｓ）やバッテリアイコン（Ｉｂ）などのアイコンを表示する。第２表示手段（３２，５８，Ｓ６１，Ｓ７７）は、映像コンテンツをモニタ画面の第２領域（６２ｖ２，６２ｈ２）に表示する。移動通信システムを用いる通信手段（１２）が、たとえばテレビ電話機能に従って相手方の映像（画像）を第１映像コンテンツとして受信するとともに、メールを受信する。消去手段(３２，６０，Ｓ１１１，Ｓ１１３)は、たとえば移動通信回路（１２）でメールを受信したとき、第１表示手段によって表示された複数のアイコンの少なくとも１つを消去するとともに、第３表示手段（３２，Ｓ１１９）によって、アイコンの消去で生じた表示スペース（空白）にその受信メールの内容を第１領域に表示する。ただし、第２表示手段が第１映像コンテンツを表示しているとき、受信感度アイコンを消去対象から除外する。
【００１１】
第１の発明によれば、映像コンテンツを第２領域に表示する一方、メールを受信したときに複数のアイコンの少なくとも１つを消去して受信メールの内容を第１領域に表示するようにしたので、映像コンテンツの視聴や表示を妨げることなくメールの内容を迅速に把握することができる。そして、たとえばテレビ電話機能を利用しているときなどにおいて、通信手段による通信状態を表示する必要があるときには、第１映像コンテンツを表示していても、少なくとも受信感度アイコンは表示される。
【００１２】
第２の発明は、第１の発明に従属し、第３表示手段は受信メールの内容をスクロール表示する、複合端末である。
【００１３】
第２の発明では、受信メールが読み易くなる。
【００１４】
第３の発明は、第１または第２の発明に従属し、放送受信システムを用いて第２映像コンテンツを受信する受信手段をさらに備え、第２表示手段によって表示される映像コンテンツは第１映像コンテンツおよび第２映像コンテンツのいずれか一方である、複合端末である。
【００１５】
第３の発明では、通信手段（１２）がたとえばテレビ電話機能に従って相手方の映像（画像）を第１映像コンテンツとして受信し、あるいは受信手段（１４）が放送番組である第２映像コンテンツを受信する。第１映像コンテンツまたは第２映像コンテンツが第２表示手段によって第２領域に表示される。このため、たとえばテレビ電話中の映像が第２領域に表示されていても、あるいはテレビ番組の映像が第２表示領域に表示されていても、メール内容が第１表示領域に表示される。
【００１８】
第４の発明は、第１ないし第３の発明のいずれかに従属し、第３表示手段の表示処理が完了した後にメール受信を示すメールアイコンを第１領域に表示する第４表手段をさらに備える、複合端末である。
【００１９】
第４の発明では、第４表手段（３２，Ｓ１２３）は、第１領域でのメール内容表示の終了後に、第１領域にメールアイコンを表示する。したがって、ユーザはメールの着信を確認できる。
【００２０】
第５の発明は、第４の発明に従属し、第２領域のサイズを拡大する拡大手段、および拡大手段の拡大処理に関連して消去手段を不能化する不能化手段をさらに備え、第４表示手段はメールの受信に応答して表示処理を実行する、複合端末である。
【００２１】
第５の発明では、拡大手段（３２，Ｓ３１）が第２領域のサイズを拡大したとき、不能化手段（３２，Ｓ１０９）によって消去手段を不能化する。そして、第４表示手段はメールの受信に応答して表示処理を実行する。これによって、プライバシーが保護される。
【００２２】
第７の発明は、モニタおよび移動通信システムを用いて第１映像コンテンツおよびメールを受信する通信手段を備える複合端末のプロセサを、アイコンをモニタの第１領域に表示する第１表示手段、映像コンテンツをモニタの第２領域に表示する第２表示手段、メールを受信したとき第１表示手段によって第１領域に表示された複数のアイコンの少なくとも１つを消去する消去手段、および消去手段の消去動作に関連して受信メールの内容を第１領域に表示する第３表示手段として機能させ、第１表示手段によって表示される複数のアイコンは通信手段の受信感度を示す受信感度アイコンを含み、消去手段は、第２表示手段が第１映像コンテンツを表示しているとき、受信感度アイコンを消去対象から除外する、複合端末における表示制御プログラムである。
【００２３】
第６の発明では、第１の発明と同様に、映像コンテンツの視聴や表示を妨げることなくメールの内容を迅速に把握することができる。
【発明の効果】
【００２４】
この発明によれば、第１領域にアイコンを表示しかつ映像コンテンツを第２領域に表示しているときに、メールを受信したとき、複数のアイコンの少なくとも１つを消去して受信メールの内容を第１領域に表示するようにしたので、映像コンテンツの表示を妨げることなくメールの内容を迅速に把握することができる。そして、たとえばテレビ電話機能を利用しているときなどにおいて、通信手段による通信状態を表示する必要があるときには、第１映像コンテンツを表示していても、少なくとも受信感度アイコンは表示される。
【００２５】
この発明の上述の目的，その他の目的，特徴および利点は、図面を参照して行う以下の実施例の詳細な説明から一層明らかとなろう。
【発明を実施するための最良の形態】
【００２６】
図１を参照して、この実施例の携帯端末１０は、移動通信回路１２および放送番組受信回路１４を含む。移動通信回路１２は、移動通信システムを用いて移動通信、たとえば音声電話、テレビ電話、メール送受信などを行うための通信手段である。放送番組受信回路１４は、放送受信システムを用いて地上ディジタルテレビ放送などの放送番組を受信するための受信手段である。この実施例の携帯端末１０は、このように通信手段である移動通信回路１２および受信手段である放送番組受信回路１４を含むものであり、その意味で「複合端末」と呼ばれる。そして、これら移動通信回路１２および放送番組受信回路１４は、ＣＰＵ３２によって制御される。
【００２７】
移動通信回路１２は、アンテナ１６，無線回路１８，信号処理回路２０，ＡＤ／ＤＡ変換器２２，アンプ２４，スピーカ２６，アンプ２８およびマイク３０を含んで構成される。また、放送番組受信回路１４は、アンテナ４２，チューナ４４，デマルチプレクサ４８，ＭＰＥＧデコーダ５０，音声処理回路５２，アンプ５４，スピーカ５６およびＮＴＳＣエンコーダ５８を含む。このＮＴＳＣデコーダ５８は、テレビ電話機能を使用しているときの相手方（および自分）の動画像のような第１コンテンツや、受信手段を用いて放送番組を受信しているときの放送番組映像のような第２コンテンツを、ＮＴＳＣコンポジット信号に変換してモニタ６２に与えるものである。
【００２８】
キャラクタジェネレータ６０は、メール表示、アイコン表示さらにはオンスクリーン表示のために、図形や文字、記号などの表示データを出力してモニタ６２に与える。したがって、このキャラクタジェネレータ６０が第１表示手段に含まれる。
【００２９】
モニタ６２は、映像出力手段であって、上述のような第１コンテンツやを第２コンテンツを表示するために利用されるが、このモニタ６２には、通信手段によってメールの送受信を行う際のメールや、上述のアイコンも表示される。つまり、モニタ６２は、この実施例では、通信手段および受信手段における映像出力手段として共用され、そのために、通信手段および受信手段は第２表示手段の一部を構成する。そして、音声出力手段としてのスピーカも共用するようにしてもよい。その場合には、スピーカ２６（アンプ２４）およびスピーカ５６（アンプ５４）のどちらかが省略される。
【００３０】
なお、図示しないが、モニタ６２のための回転機構を設け、縦画面表示モードまたは横画面表示モードを任意に選択できるようにしてもよい。さらに、そのような回転機構を設けなくても縦画面表示モードまたは横画面表示モードを切り替えられるようにすることもできる。つまり、携帯端末１０の本体を縦にしているとき縦画面表示モードとなり、横にしているとき横画面表示モードになる。
【００３１】
図２（Ａ）が縦画面表示モードの時のモニタ６２の画面であり、上部に第１領域６２ｖ１が形成され、下部が第２領域６２ｖ２として利用される。図２（Ｂ）の横画面表示モードでも同様に、上部が第１領域６２ｈ１として、下部が第２領域６２ｈ２として利用される。
【００３２】
この実施例では、携帯端末１０は、さらに、カメラ３８を備え、このカメラ３８からのカメラ映像がカメラ処理回路３６を通してＣＰＵ３２に入力され、したがって、ＣＰＵ３２は、そのカメラ映像をモニタ６２に表示し、さらにはフラッシュメモリ（記憶媒体）に記憶または記録する。
【００３３】
このような携帯端末１０において、音声電話をかける場合、ユーザは、操作キー３４（詳細図示は省略するが、これは通常のテレビ電話機能付きの携帯端末に設けられているものと同じであってよい。）よってダイアル操作を実行する。このダイアル操作が行われると、ＣＰＵ３２は、無線回路１８に発呼処理を命令する。この発呼処理によって相手方との接続が確立されると、通話可能状態となる。また、アンテナ１６を通して発呼信号を受信すると、無線回路１８からＣＰＵ３２に対して電話着信が通知される。ＣＰＵ３２は、呼び出し音信号の発生を音声処理回路５２に命令するとともに、呼び出しメッセージを表すキャラクタ信号の発生をキャラクタジェネレータ６０に命令する。これによって、呼び出し音がスピーカ５６から出力されるとともに、呼び出しメッセージがモニタ６２から出力される。呼び出し音および呼び出しメッセージの出力を受けて、操作キー３４によって着信操作が行われると、相手方との接続が確立され、通話可能状態となる。したがって、通話の相手先の声がスピーカ２６（５６）もしくはもしあればイヤホンから出力され、自分の音声がマイク３０から取り込まれて相手方に送信される。このようにして、音声電話機能が実現される。
【００３４】
テレビ電話をかけるとき、ユーザは、操作キー３４によってテレビ電話のための発呼操作を実行する。その発呼操作に応じて、ＣＰＵ３２は、無線回路１８に発呼処理を命令する。この発呼処理によって相手方との接続が確立されると、ＣＰＵ３２は、スピーカ２６，マイク３０，カメラ３８およびモニタ６２を起動させ、テレビ電話の通話可能状態となる。
【００３５】
テレビ電話可能状態となった後にマイク３０に音声が入力されると、この音声は、マイク３０によってアナログ音声信号に変換される。この音声信号は、アンプ２８によって増幅され、Ｄ／ＤＡ変換回路２２によってディジタル信号である音声データに変換される。音声データは、信号処理回路２０によって符号化処理を施され、さらに無線回路１８によって変調処理を施されて送信音声データが生成される。無線回路１８によって生成された送信音声データは、アンテナ１６から送信される。
【００３６】
一方、相手方の通信端末から送られてきた受信音声データは、アンテナ１６によって受信され、無線回路１８によって復調処理を施されるとともに、信号処理回路２０によって復号処理を施され、音声データとなる。信号処理回路２０によって復号された音声データは、ＡＤ／ＤＡ変換回路２２によってアナログ音声信号に変換され、アンプ２４を介して、スピーカ２６に入力され、スピーカ２６から相手方音声が出力される。
【００３７】
テレビ電話機能において、カメラ３８によって撮影された被写界像（動画像）は、カメラ処理回路３６によってディジタル信号である動画像データに変換される。動画像データは、ＣＰＵ３２を介して信号処理回路２０および無線回路１８に送られる。無線回路１８は、ＣＰＵ３２を介して送られてきた動画像データに変調処理を施し、変調動画像データをアンテナ１６を介して相手方の携帯端末（図示せず）に送信する。
【００３８】
カメラ３８によって撮影した動画像のデータはまたＮＴＳＣエンコーダ５８に送られ、このＮＴＳＣエンコーダ５８は、ＣＰＵ３２を介して送られてきた動画像データをＮＴＳＣ方式のコンポジット映像信号に変換する。コンポジット映像信号はモニタ６２に与えられ、この結果、この携帯端末１０によって撮影した（自分の）動画像（スルー画像）が、図２に示すモニタ６２の第２領域６２ｖ２（または６２ｈ２）中の図３に示す子画面Ｍ２に表示される。
【００３９】
一方、相手方の携帯端末から送られてきた動画像データは、アンテナ１６によって受信され、無線回路１８によって復調処理を施される。復調処理を施された動画像データは、ＮＴＳＣエンコーダ６２によってＮＴＳＣ方式のコンポジット映像信号に変換される。ＮＴＳＣコンポジット映像信号はモニタ６２に与えられ、この結果、相手方の携帯端末に設けられたカメラによって撮影した（相手方の）動画像が、図２に示すモニタ６２の第１領域６２ｖ１（または６２ｈ１）中の図３に示す親画面Ｍ１に表示される。このようにして、相手方の携帯端末との間で動画像を授受するリアルタイムテレビ電話機能が実現される。
【００４０】
メールを送信する場合、ユーザは、操作キー３４を用いて、送信メールを作成し、かつ送信操作を行なう。メール送信操作が行われると、ＣＰＵ３２は、宛先のメールボックスを管理するサーバ（図示せず）への接続を無線回路１８に命令するとともに、作成された送信メールの符号化を信号処理回路２０に命令する。信号処理回路２０は、送信メールをパケットデータつまりメールパケットに変換し、そのメールパケットは無線回路１８およびアンテナ１６を通して上記サーバに送信される。
【００４１】
サーバに設定している自分のメールボックスにメールパケットが存在すれば、このメールパケットはアンテナ１６を通して受信される。受信されたメールパケットは、無線回路１８によって復調され、信号処理回路２０によって復号される。ＣＰＵ３２は、無線回路１８からのメール着信通知に応答して、信号処理回路２０によって復号されたメールをフラッシュメモリ４０に保存し、メールの着信を表すキャラクタ信号の出力をキャラクタジェネレータ６４に命令する。この結果、メールの受信を示すアイコンつまりメールアイコンＩｍ（図１０）がモニタ６２に表示される。このようにして、メールの送受信機能が実現される。
【００４２】
この携帯端末１０を用いて地上波ディジタルテレビ放送のようなテレビ（放送）番組を視聴しようとする場合、ユーザは、操作キー３４の操作によって番組視聴モードを選択するとともに所望のチャネル（番組）を選択する。そのようなユーザの操作に応答して、ＣＰＵ３２は、放送番組受信回路１４を起動するとともに、所望のチャネルの選択をチューナ４４に命令する。チューナ４４は、アンテナ４２によって捉えられた地上波ディタルテレビ放送の高周波信号から所望のチャネルの高周波信号を抽出する。ＯＦＤＭ（直交周波数分割多重方式：Orthogonal Frequency Division Multiplexing）復調回路４６は、チューナ４４によって選択的に受信した高周波信号をトランスポートストリームパケット（Transport Stream Packet）に変換する。デマルチプレクサ４８はトランスポートストリームパケットから音声パケットおよび映像パケットを抽出する。ＭＰＥＧデコーダ５０は、音声パケットをデコードして音声データを生成するとともに、映像パケットをデコードして映像データを生成し、音声データおよび映像データを音声処理回路５２およびＮＴＳＣエンコーダ５８にそれぞれ与える。
【００４３】
音声データは音声処理回路５２によってアナログ音声信号に変換され、その音声信号はスピーカ５６に与えられる。この結果、ユーザが選局したテレビ番組の音声がスピーカ５６から出力される。
【００４４】
映像データはＮＴＳＣエンコーダ５８によってコンポジット映像信号に変換され、コンポジット映像信号はモニタ６２に出力される。この結果、ユーザが選局したテレビ番組の映像が、図４に示すように、モニタ６２の第２領域６２ｖ２（または６２ｈ２）中のテレビ画面ＴＶとして表示される。このようにして、テレビ番組視聴機能が実現される。
【００４５】
ＣＰＵ３２は、図示しない監視回路によって、バッテリ（図示せず）の残量およびアンテナ１６の受信感度を常に検出している。そして、このバッテリ残量はそれを表すバッテリアイコンＩｂとして、また受信感度はそれを表す受信感度アイコンＩｓとして、図２や図４に示すように、モニタ６２の第１領域６２ｖ１（または６２ｈ１）に表示される。ただし、これらのアイコン図形はＣＰＵ３２の指示に従ってキャラクタジェネレータ６０で作成されることは前述の通りである。
【００４６】
なお、バッテリアイコンＩｂや受信感度アイコンＩｓは、バッテリピクトあるいはアンテナピクトなどのように「ピクト（Picto）」と呼ばれることもあるが、ここではこの種のものは統一的にアイコンと呼ぶことにする。
【００４７】
この実施例の携帯端末１０は、上述したように、たとえば１６：９のアスペクト比で映像を拡大表示するための横画面表示モードを備えているが、通常（デフォルト）は縦画面表示モードである。
【００４８】
縦画面表示モードでは、テレビ電話中の相手方映像および自分方映像はともに、図３（Ａ）に示すようにモニタ６２の第２領域６２ｖ２に親画面Ｍ１および子画面Ｍ２として表示される。モニタ６２の第１領域６２ｖ１には、バッテリアイコンＩｂおよび受信感度アイコンＩｓが表示される。
【００４９】
縦画面表示モードでテレビ番組を視聴する場合には、図４（Ａ）に示すように、第１領域６２ｖ１にバッテリアイコンＩｂおよび受信感度アイコンＩｓが表示され、第２領域６２ｖ２に縦方向にテレビ映像ＴＶが表示される。
【００５０】
横画面表示モードは、ユーザが回転機構を利用してモニタ６２を９０°回転させることによって設定される。ただし、携帯端末が回転機構を持たない場合には、ユーザが操作キー３４を操作することによって、またはジャイロ素子によってユーザが本体を９０°回転させたことを検出したとき、横画面表示モードを設定することができる。
【００５１】
横画面表示モードでは、テレビ電話中の相手方映像および自分方映像はともに、図３（Ｂ）に示すようにモニタ６２の第２領域６２ｈ２に親画面Ｍ１および子画面Ｍ２として表示される。バッテリアイコンＩｂおよび受信感度アイコンＩｓがモニタ６２の第１領域６２ｈ１に表示される。
【００５２】
横画面表示モードでテレビ番組を視聴する場合には、図４（Ｂ）に示すように、第１領域６２ｈ１にバッテリアイコンＩｂおよび受信感度アイコンＩｓが表示され、第２領域６２ｈ２に横方向にテレビ映像ＴＶが表示される。
【００５３】
図３および図４からよく分かるように、横画面表示モードを設定した場合には、少なくとも横方向に、第２領域６２ｈ２は縦画面表示モードの第２領域６２ｖ２より大きくな。したがって、横から見易くなるので、複数の人間がその番組映像を同時に視聴することができる。
【００５４】
テレビ電話機能を実行していて、たとえば図３（Ａ）に示す態様でモニタ６２で第１コンテンツの映像表示が行なわれているとき、メールが届くと、ＣＰＵ３２は、第１領域６２ｖ１に表示された受信感度アイコンＩｓ以外を消去すべき命令をキャラクタジェネレータ６０に発行する。ＣＰＵ３２はまた、第１領域６２ｖ１に着信メールの内容（具体的には、送信者，件名，および本文）をスクロール表示すべき命令をＮＴＳＣエンコーダ５８に発行する。この結果、図５に示すように、モニタ６２の第１領域６２ｖ１に着信メールの内容が表示されるとともに、第２領域６２ｖ２に第１コンテンツ映像、すなわち親画面Ｍ１および子画面Ｍ２が表示される。これによって、テレビ電話機能を使用しつつ、受信感度の確認をしながら、着信メールの内容を確認することができる。
【００５５】
ただし、図５の例は縦画面表示モードの場合を示したが、横画面表示モード（図２（Ｂ））においても同様の表示状態遷移が生じる。
【００５６】
また、テレビ視聴機能を実行していて、図４（Ａ）に示す態様でモニタ６２上で第２コンテンツの映像表示が行なわれているときメールが届くと、ＣＰＵ３２は第１領域６２ｖ１に表示されたアイコンをすべて消去すべき命令をキャラクタジェネレータ６０に発行する。ＣＰＵ３２はまた、第１領域６２ｖ１に着信メールの内容をスクロール表示すべき命令をＮＴＳＣエンコーダ５８に発行する。図６に示すように、モニタ６２の第１領域６２ｖ１に着信メールの内容が表示されるとともに、第２領域６２ｖ２に第２コンテンツ映像、すなわちテレビ画面ＴＶが表示される。これによって、テレビ視聴をしつつ、着信メールの内容を確認することができる。
【００５７】
ただし、図６の例は縦画面表示モードの場合を示したが、横画面表示モード（図２（Ｂ））においても同様の表示状態遷移が生じるようにしてもよい。
【００５８】
しかしながら、横画面表示モードでテレビ番組を視聴しているときメールが届いた場合、プライバシー保護のために、メールの内容表示を行なわないようにすることも考えられる。つまり、テレビ番組コンテンツを横画面表示しているときには、その視認のし易さのために、複数の人が同じ番組コンテンツを視聴していることが考えられる。このように複数人がテレビ番組視聴しているときメールを表示すると、このメールが宛名の人以外にも視認される可能性がある。そこで、この実施例では、多人数視聴の可能性がある横画面表示モードでのテレビ番組表示時にメールの着信があった場合には、着信メールの内容をそのときには第１領域６２ｈ１に表示しないようにすることによって、プライバシーの保護を図る。
【００５９】
この場合には、ＣＰＵ３２は、メールアイコンＩｍを第１領域６２ｈ１の上に表示すべき命令をキャラクタジェネレータ６０に発行する。この命令に応じてキャラクタジェネレータ６０は、図７に示すように、第１領域６２ｈ１の上にメールアイコンＩｍを表示する。
【００６０】
また、図５に示すテレビ電話中に着信したメールの内容のスクロール表示が完了すると、図８（Ａ）に示す態様でメールアイコンＩｍ，アンテナアイコンＩｓおよびバッテリアイコンＩｂがモニタ６２の第１領域６２ｖ１に表示される。また、図６に示すテレビ視聴中に着信したメールのスクロール表示が完了すると、メールアイコンＩｍおよびバッテリアイコンＩｂが図８（Ｂ）に示す要領で第１領域６２ｖ１の上に表示される。
【００６１】
図９（Ａ）に示すように、フラッシュメモリ４０はメールデータエリア４０ａおよびメールＤＢエリア４０ｂを含む。メールデータエリア４０ａには、送信メールや着信メールなどのメールデータが格納される。図９（Ｂ）に示すように、メールＤＢエリア４０ｂは、メールアドレスコラム，メール重要度コラムおよび表示色コラムを含む。ユーザによって割り当てられたメールアドレスは、メールアドレスコラムの一部に格納される。格納されたメールアドレスには、“黒”の文字色が最初（デフォルト）割り当てられる。ユーザによるメール設定操作によって所望のメールアドレスの重要度が“高”に変更されると、該当のメールアドレスに割り当てられた文字色が“赤”に変更される。これによって、着信メールの重要度を容易に判別することができる。
【００６２】
ＣＰＵ３２は、μＩＴＲＯＮのようなマルチタスクＯＳを搭載したマルチタスクＣＰＵであり、キャラクタ表示処理に関連して、図１０に示すテレビ電話着信検知タスク，図１１に示す番組視聴モード検知タスク，図１２に示すメール着信検知タスク，図１３に示す画面の向き検知タスク，図１４に示す領域割当タスク，図１５〜図１７に示す主画面表示制御タスクおよび図１８に示すアイコンバー表示制御タスクを実行する。
【００６３】
まず、図１０を参照して、テレビ電話着信検知タスクのステップＳ１では、移動通信回路１２からの信号に基づいて、テレビ電話の着信があったか否か判断する。判断結果が“ＹＥＳ”であれば、ステップＳ３でテレビ電話中であることを示すフラグＦｔｖtに“１”を設定し、その後ステップＳ１に戻る。
【００６４】
図１１を参照して、番組視聴モード検知タスクのステップＳ１１では、操作キー３４からの信号に基づいて、番組視聴モードがユーザによって選択されたか否か判断する。判断結果が“ＹＥＳ”であれば、ステップＳ１３で番組視聴モードが設定されていることを示すフラグＦｔｖに“１”を設定し、その後ステップＳ１に戻る。
【００６５】
図１２に示すように、メール着信検知タスクのステップＳ２１では移動通信回路１２からの信号に基づいて、メールの着信があったか否か判断する。判断結果が“ＹＥＳ”であれば、ステップＳ２３で、メールの着信があったことを示すフラグＦｍｌを“１”に設定し、その後ステップＳ１１に戻る。
【００６６】
図１３によれば、画面の向き検知タスクのステップＳ３１では、たとえば回転機構（図示せず）の状態やジャイロセンサ（図示せず）信号に基づいて、ユーザによる縦画面方向表示操作があったか否か判断する。判断結果が“ＹＥＳ”であれば、ステップＳ３３で縦画面表示モードを選択したか横画面表示モードを選択したかを示すフラグＦＶを“１”に設定し、その後ステップＳ３１に戻る。また、判断結果が“ＮＯ”、つまり、横画面表示モードを選択したのであれば、ステップＳ３５で画面方向フラグＦＶを“０”に設定し、その後ステップＳ２１に戻る。
【００６７】
図１４を参照して、領域割当タスクの最初のステップＳ４１ではフラグＦＶの設定値を判別する。設定値が“１”であればステップＳ４３に進み、設定値が“０”であればステップＳ４７に進む。ステップＳ４３では、アイコンを表示すべき第１領域を領域６２ｖ１に割り当てる命令をＮＴＳＣエンコーダ５８に発行する。ステップＳ４５では、番組コンテンツを表示すべき第２領域を領域６２ｖ２に割り当てる命令をＮＴＳＣエンコーダ５８に発行し、この後ステップＳ４１に戻る。ステップＳ４７では、第１領域を領域６２ｈ１に割り当てる命令をＮＴＳＣエンコーダ５８に発行し、ステップＳ４９では、拡大処理を実行する。つまり、番組コンテンツを表示すべき第２領域を領域６２ｈ２に割り当てる命令をＮＴＳＣエンコーダ５８に発行する。この後、ステップＳ４１に戻る。
【００６８】
図１５に示す主画面表示制御タスクの最初のステップＳ５１で初期設定を実行する。続くステップＳ５３では、番組視聴モードを示すフラグＦｔｖの設定値を判別する。設定値が“０”であれば、番組視聴モードが選択されていないので、さらなる判別のためにステップＳ５５に進むが、設定値が“１”であれば番組視聴モードを実行するために、ステップＳ６１に進む。
【００６９】
ステップＳ５５ではテレビ電話の着信を示すフラグＦｔｖｔの設定値を判別する。設定値が“１”であればテレビ電話の処理のためにステップＳ７３に進み、設定値が“０”であればさらなる判別のためにステップＳ５７に進む。ステップＳ５７では、メールの着信検知フラグＦｍｌの設定値を判別する。設定値が“１”であればメール着信の処理のためにステップＳ８９に進み、設定値が“０”であればステップＳ５９に進む。ステップＳ５９ではその他の処理を実行し、その後ステップＳ５３に戻る。
【００７０】
ステップＳ６１では、放送番組受信回路１４を能動化してユーザが選択した所望の番組の表示処理を実行することによって、該当の番組コンテンツをモニタ６２の第２領域６２ｖ２または６２ｈ２に表示する。ついで、ステップＳ６３に進み、メール着信検知フラグＦｍｌの設定値を判別する。設定値が“１”であれば、メール着信があったということであり、次のステップＳ６７でメールを受信したことを示すフラグＦｒｄの設定値を“１”に設定し、その後ステップＳ５３に戻る。設定値が“０”であれば、メール着信がなかったのであるから、ステップＳ６５に進む。
【００７１】
ステップＳ６５では、たとえば操作キー３４からの信号を監視することによって、ユーザによってテレビ番組視聴モードを終了させるための終了操作が行われたか否か判別する。判別結果が“ＹＥＳ”であればステップＳ６９に進んで番組視聴モードフラグＦｔｖの設定値を“０”に設定し、その後のステップＳ７１でテレビ非表示処理を実行する。ステップＳ６５での判別結果が“ＮＯ”であればステップＳ６３に戻る。ステップＳ７１の処理を終えると、ステップＳ５３に戻る。
【００７２】
ステップＳ５５でテレビ電話着信を検出したとき図１６に示すステップＳ７３では、キャラクタジェネレータ６０に命令を出して呼び出しメッセージ表示処理を行う。つまり、モニタ６２のたとえば第２領域６２ｖ（ｈ）２に呼び出しメッセージを表示して、ステップＳ７５で着信操作が行われるまで待機する。着信操作が行われると、ステップＳ７７で移動通信回路１２で受信した相手方映像および自分映像をそれぞれ親画面Ｍ１および子画面Ｍ２としてモニタ６２の第２領域６２ｖ（ｈ）に表示させる、テレビ電話表示処理を行う。ついで、ステップＳ７９でメール着信検知フラグＦｍｌの設定値を判別する。設定値が“１”であればステップＳ８３に進み、メール受信フラグＦｒｄの設定値を“１”に設定し、ステップＳ８７に進む。ステップＳ８７では、テレビ電話非表示処理を行い、その後ステップＳ５３に戻る。
【００７３】
メール着信検知フラグＦｍｌの設定値が“０”であればステップＳ８１に進み、操作キー３４の操作信号に基づいてテレビ電話終了操作が行われたか否か判断する。判断結果が“ＹＥＳ”であればステップＳ８５に進み、テレビ電話フラグＦｔｖｔを“０”に設定する。ステップＳ８１判断結果が“ＮＯ”であればステップＳ７９に戻る。
【００７４】
図１７に示すステップＳ８９では、ユーザによる操作キー３４の操作に応じてメール閲覧処理を行う。ステップＳ９１で終了操作（操作キー３４）が行われたことを検出すると、ステップＳ９３では、メール着信検知フラグＦｍｌの設定値を“０”に設定する。ステップＳ９５では、終了処理を行い、その後ステップＳ５３に戻る。
【００７５】
アイコンバー表示制御タスクでは、図１８の最初のステップＳ１０１で、適宜の必要なアイコンをモニタ６２の第１領域６２ｖ（ｈ）１に表示する処理を行う。このとき、アイコンを表示すべき第１領域は、図１４に示す領域割当タスクによって決定される。
【００７６】
ステップＳ１０３では、メール受信フラグＦｒｄの設定値が“１”であるか否か判別する。判別結果が“ＹＥＳ”であればステップＳ１０５に進み、判別結果が“ＮＯ”であれば待機する。ステップＳ１０５では、テレビ電話フラグＦｔｖｔの設定値が“１”であるか否か判別する。判別結果が“ＹＥＳ”であればステップＳ１０９に進み、判別結果が“ＮＯ”であればステップＳ１０７に進んで、番組視聴モードフラグＦｔｖの設定値が“１”であるか否か判別する。判別結果が”ＹＥＳ”であればステップＳ１１３に進み、判別結果が“ＮＯ”であればステップＳ１０３に戻る。ステップＳ１１３では、ステップＳ１０１で第１領域に表示されている複数のアイコンのうち、アンテナアイコンＩｓ（図５など）だけを残して他のアイコンを消去する。
【００７７】
ステップＳ１０５でテレビ電話着信を検出した後のステップＳ１０９では、画面方向フラグＦＶの設定値が“１”であるか否か判別する。判別結果が“ＹＥＳ”であれば、図３（Ａ）に示す縦画面表示モードが選択されていることを示し、次にステップＳ１１１に進む。判別結果が”ＮＯ”であれば、図３（Ｂ）に示す横画面表示モードが選択されていることを示し、続いてステップＳ１２３に進む。
【００７８】
ステップＳ１１１では、第１領域６２ｖ１に表示されている複数のアイコンの少なくとも１つを非表示とする処理を行う。また、ステップＳ１２３では、第１領域６２ｈ１の上にメールアイコン（図８(Ａ)）を表示する。換言すると、縦画面表示モードが設定されているときには、メールを受信したとき、このメールの第１領域６２ｖ１での表示に備えて、第１領域６２ｖ１によって表示されている複数のアイコンの少なくとも１つを消去する命令を発行し、横画面表示モードが設定されているときには、メールを受信したとき、第１領域６２ｈ１にメールアイコンＩｍを表示させて、ユーザにメールの着信を報知するだけで、メールを表示することはしない。こうして、先に説明したように、プライバシーが保護される。
【００７９】
ステップＳ１１５では、図９に示すメールＤＢ４０ｂを参照して、現在の着信メールが重要度の高いアドレスからのものであるか否か判別する。判別結果が“ＹＥＳ”であればステップＳ１１７に進み、第１領域６２ｖ１で表示すべきメールの文字を赤色に設定し、続くステップＳ１１９に進む。ステップＳ１１５で“ＮＯ”であれば、そのままステップＳ１１９に進む。ステップＳ１１７では、領域ＢＶの上に表示すべき文字を赤色で表示する。
【００８０】
ステップＳ１１９では、着信メールの内容をスクロール表示する処理を行う。これによって、着信メールの視認性が向上する。ただし、表示色はステップＳ１１７で設定した「赤色」かデフォルトの「黒色」である。
【００８１】
ステップＳ１２１でこのスクロール処理の終了つまりメール本文表示の終了を判断する。判断結果が“ＹＥＳ”であればステップＳ１２３に進み、判断結果が“ＮＯ”であればステップＳ１２７に進む。
【００８２】
ステップＳ１２３では、先に説明したように、メールアイコンＩｍの表示処理を行い、その後、ステップＳ１２５でメール受信フラグＦｒｄの設定値を“０”に設定し、ステップＳ１２７に進む。
【００８３】
ステップＳ１２７では、たとえば操作キー３４の信号を監視することによって、メール閲覧操作が行われたか否か判断する。判断結果が“ＹＥＳ”であればステップＳ１２９に進み、判断結果が“ＮＯ”であればステップＳ１２１に戻る。ステップＳ１２９では、メール着信フラグＦｍｌの設定値を“０”に設定し、ステップＳ１０３に戻る。
【００８４】
以上の説明からわかるように、アイコンはＣＰＵ３２によってモニタ６２の第１領域６２ｖ１または６２ｈ１に表示され、映像コンテンツはＣＰＵ３２によってモニタ６２の第２領域６２ｖ２または６２ｈ２に表示される。縦画面表示モードでメールを受信したとき、ＣＰＵ３２は第１領域６２ｖ１で表示している複数のアイコンの少なくとも１つを消去して、受信メールの内容をその第１領域６２ｖ１に生じた空白（表示スペース）にスクロール表示する。
【００８５】
このようにして、映像コンテンツを第２領域６２ｖ２に表示する一方、メールを受信したときに受信メールの内容を第１領域６２ｖ１に表示することで、映像コンテンツの視聴を妨げることなくメールの内容を迅速に把握することができる。
【００８６】
なお、この実施例では、放送番組受信回路１４は地上波ティジタルテレビ放送を受信するが、これに限らず、アナログ放送を受信することも可能である。
【００８７】
なお、電話事業者によりデコレーションメールなどＨＴＭＬを利用したメールもあるが、このようなメールを受信した場合、画像を使った文字が表示できなくなって、スクロール表示されたメール本文の意味がわからない可能性がある。そのため、そのようなデコレーションメールなどＨＴＭＬを利用したメールを受信した場合には、デコレーションメールである旨を表示するとともに、文字部分のみを表示させるようにすれば、スクロール表示させたときにもユーザが困惑することがない。
【００８８】
たとえば、スクロールする先頭に「デコレーションメールです」という文章や、デコレーションメールを示すアイコンなどを併せて表示することで、ユーザにわかり易く表示することができる。
【００８９】
さらに、テレビ視聴中にメールがあったとき、メール閲覧ではなく、メール返信をするときにおいて、次のようにしてもよい。
【００９０】
テレビを視聴しているときにメール内容がスクロール表示されたり、メールアイコンが表示されたりしている場合、メールに割り当てられたキー（ソフトウェア的に割り当てられたキーでもよい）を操作すると、視聴中のテレビ放送を機器本体内のメモリに録画保存し始める。それとともに、受信メールを開き、返信できるようになる。
【００９１】
そして、通常の操作がなされて返信処理が終了すると、再び、テレビ視聴の画面に戻り、録画したテレビ放送を再生するように動作する。このとき、通常速度の再生に加え、高速再生により再生することも可能である。その際には速度に合わせた音声を出力することも可能である。また、早送り再生も可能である。そして、現在の放送に追いついた際に、録画保存の停止、この追いかけ再生の停止を行い、通常の放送が続けて視聴できるようになる。
【００９２】
また、テレビ視聴中に電話着信があった場合は、着信の報知は優先度が高いため、テレビ画面上に割り込み着信報知を重畳させたり、もしくは、テレビ放送の画面出力を停止して着信報知を行うことで、使用者に報知する。そして、着信報知以降はテレビ放送を自動録画し、通話終了後、追いかけ再生するようにしてもよい。
【００９３】
つまり、メール受信のように、視聴しているテレビに比べ、後で確認してもよいものは、テレビ画面に影響されない場所で表示(報知)し、電話着信のように、視聴しているテレビに比べ、いますぐ対応が必要なものは、テレビ画面の出力を停止し、その着信を報知することができる。
【図面の簡単な説明】
【００９４】
【図１】図１はこの発明の一実施例の構成を示すブロック図である。
【図２】図２はモニタの縦画面表示モードおよび横画面表示モードを示す図解図である。
【図３】図３は図１実施例に適用されるテレビ電話機能を使用中の動作の一例を示す図解図であり、図３（Ａ）が縦画面表示モードの場合を示し、図３（Ｂ）が横画面表示モードの場合を示す。
【図４】図４は図１実施例に適用される番組視聴機能を使用中の動作の一例を示す図解図であり、図４（Ａ）が縦画面表示モードの場合を示し、図４（Ｂ）が横画面表示モードの場合を示す。
【図５】図５は図１実施例に適用されるテレビ電話機能を使用中の他の動作の一例を示す図解図である。
【図６】図６は図１実施例に適用される番組視聴機能を使用中のその他の動作の一例を示す図解図である。
【図７】図７は図１実施例に適用される番組視聴機能を使用中のその他の動作の一例を示す図解図である。
【図８】図８（Ａ）は図１実施例に適用されるテレビ電話機能を使用中のその他の動作の一例を示す図解図である、図８（Ｂ）は図１実施例に適用される番組視聴機能を使用中のまたその他の動作の一例を示す図解図である。
【図９】図９（Ａ）は、フラッシュメモリの構成の一例を示す図解図であり、図９（Ｂ）は、メールＤＢエリアの構成の一例を示す図解図である。
【図１０】図１０は図１実施例に適用されるＣＰＵ３２の動作の一部を示すフロー図である。
【図１１】図１１は図１実施例に適用されるＣＰＵの他の動作の一部を示すフロー図である。
【図１２】図１２は図１実施例に適用されるＣＰＵ３２のその他の動作の一部を示すフロー図である。
【図１３】図１３は図１実施例に適用されるＣＰＵ３２のまたその他の動作の一部を示すフロー図である。
【図１４】図１４は図１実施例に適用されるＣＰＵ３２のさらにその他の動作の一部を示すフロー図である。
【図１５】図１５は図１実施例に適用されるＣＰＵ３２のまたさらにその他の動作の一部を示すフロー図である。
【図１６】図１６は図１実施例に適用されるＣＰＵ３２のそのまたさらにその他の動作の一部を示すフロー図である。
【図１７】図１７は図１実施例に適用されるＣＰＵ３２のさらにその他の動作の一部を示すフロー図である。
【図１８】図１８は図１実施例に適用されるＣＰＵ３２のその他の動作の一部を示すフロー図である。
【符号の説明】
【００９５】
１０  …携帯端末
１２  …移動通信回路
１４  …放送番組受信回路
１６，４２  …アンテナ
１８  …無線回路
２０  …信号処理回路
２２  …ＡＤ／ＤＡ変換器
２４，２８，５４  …アンプ
２６，５６  …スピーカ
３０  …マイク
３２  …ＣＰＵ
３４  …操作キー
３６  …カメラ処理回路
３８  …カメラ
４０  …フラッシュメモリ
４４  …チューナ
４６  …ＯＦＤＭ復調回路
４８  …デマルチプレクサ
５０  …ＭＰＥＧデコーダ
５２  …音声処理回路
５８  …ＮＴＳＣエンコーダ
６０  …キャラクタジェネレータ
６２  …モニタ
【図１】
0004926034.tif 000002
【図２】
0004926034.tif 000003
【図３】
0004926034.tif 000004
【図４】
0004926034.tif 000005
【図５】
0004926034.tif 000006
【図６】
0004926034.tif 000007
【図７】
0004926034.tif 000008
【図８】
0004926034.tif 000009
【図９】
0004926034.tif 000010
【図１０】
0004926034.tif 000011
【図１１】
0004926034.tif 000012
【図１２】
0004926034.tif 000013
【図１３】
0004926034.tif 000014
【図１４】
0004926034.tif 000015
【図１５】
0004926034.tif 000016
【図１６】
0004926034.tif 000017
【図１７】
0004926034.tif 000018
【図１８】
0004926034.tif 000019